(57)【要約】本発明はポンピング式チューブ容器に関するもので、本発明によるポンピング式チューブ容器は、ポンピング部材の下方向に延長され、その下端部が内容物に浸るように位置する吸入管が備えられることによって、ポンピング部材のポンピング作用の時空打ちを最少化することができるので、使用者に便宜を提供することができることを特徴とする。【選択図】なし
2014531370.tif 000002
【特許請求の範囲】
【請求項１】
チューブ型に構成されて、内部に内容物が収容されるチューブ本体と、
前記チューブ本体の上端部に結合されて、チューブ本体を支持するチューブネックと、
前記チューブネックに結合されて、ポンピング部材を支持する支持体と、
前記支持体に支持され、チューブ本体と連通されて、チューブ本体に収容された内容物が外部に排出されるようにポンピング作用をするポンピング部材とを含むポンピング式チューブ容器において、
前記ポンピング部材の下端にはポンピング部材の下方向に延長されて、内容物を吸い込む吸入管が備えられ、前記吸入管の下端部は内容物に浸るように構成されることを特徴とするポンピング式チューブ容器。
【請求項２】
チューブ型に構成されて、内部に内容物が収容されるチューブ本体と、
前記チューブ本体の上端部に結合されて、チューブ本体を支持するチューブネックと、
前記チューブネックに結合されて、ポンピング部材を支持する支持体と、
前記支持体に支持され、チューブ本体と連通されて、チューブ本体に収容された内容物が外部に排出されるようにポンピング作用をするポンピング部材とを含むポンピング式チューブ容器において、
前記ポンピング部材の下端にはポンピング部材の下方向に延長される結合部と、前記結合部に結合されて内容物を吸い込む吸入管とを含み、前記吸入管の下端部は内容物に浸るように構成されることを特徴とするポンピング式チューブ容器。
【請求項３】
前記吸入管は、チューブ本体を斜めに傾斜させた状態で、吸入管の下端部が内容物に浸った状態が保持されるほどの長さに形成されるが、内容物に浸る吸入管の下端部長さ（Ｌ１）は内容物に浸らない吸入管の長さ（Ｌ２）より短く形成されることを特徴とする請求項１または請求項２に記載のポンピング式チューブ容器。
【発明の詳細な説明】
【技術分野】
【０００１】
本発明はポンピング式チューブ容器に関するもので、さらに詳しくは、ポンピング部材の下方向に延長され、その下端部が内容物に浸るように位置する吸入管が備えられることによって、ポンピング部材のポンピング作用の時空打ちを最少化することができるので、使用者に便宜を提供することができるポンピング式チューブ容器に関するものである。
【背景技術】
【０００２】
一般に、ポンピング式チューブ容器は、内容物が収容されるチューブ本体の上端部にポンピング部材が位置して、ポンピング部材のポンピング作用を通じて内容物が外部に排出されるように構成されたもので、このようなポンピング式チューブ容器は、図１及び２に示したように、チューブ型に構成されて、内部に内容物が収容されるチューブ本体１０と、上記チューブ本体１０の上端部に結合されて、チューブ本体１０を支持し、上記内容物が排出される排出部が形成されるチューブネック２０と、上記チューブネック２０に結合されて、ポンピング部材４０を支持する支持体３０と、上記支持体３０に支持されて内容物が外部に排出されるようにポンピング作用をするポンピング部材４０と、上記ポンピング部材４０を囲み、支持体３０に着脱可能に結合されるオーバーキャップ６０とで構成される。
【０００３】
上記のようなポンピング式チューブ容器は、図１に示したように、チューブ本体１０を逆様にした状態で、チューブ本体１０の内部に内容物を充填させた後、その下端部１１をシーリングして仕上げ処理をするが、内容物を最後まで充填させた後、シーリング作業を行う場合、内容物がチューブ本体１０の外部に溢れたりシーリング面に内容物が付いて円滑に接着を行うことができなくてシーリング作業が難しくなる。
【０００４】
そこで、シーリング作業を容易にするように、シーリング作業のための空間を確保のために、所定高さだけ内容物を充填させる。
【０００５】
上記のように、内容物の充填を完了して、シーリング作業が終わった状態で容器を立て直すと、図２に示したように、シーリング作業のために、内容物が充填されていないチューブ本体１０内に空間が形成される。これによって、内容物を排出させるために、ポンピング部材４０を作動させる際に空打ちが発生されて、内容物が円滑に排出されなくなり、内容物を排出させるために、使用者が数回ポンピング作動をしなければならないという煩わしい問題点があった。
【発明の概要】
【発明が解決しようとする課題】
【０００６】
本発明は上述した問題点を解決するために案出されたもので、本発明の目的は、ポンピング部材の下方向に延長され、その下端部が内容物に浸るように位置する吸入管が備えられることによって、ポンピング部材のポンピング作用の時、空打ちを最少化することができるので、使用者に便宜を提供することができるポンピング式チューブ容器を提供することにある。
【課題を解決するための手段】
【０００７】
上述した問題点を解決するために、本発明によるポンピング式チューブ容器は、チューブ型に構成され、内部に内容物が収容されるチューブ本体と、上記チューブ本体の上端部に結合されて、チューブ本体を支持するチューブネックと、上記チューブネックに結合されて、ポンピング部材を支持する支持体と、上記支持体に支持され、チューブ本体と連通されてチューブ本体に収容された内容物が外部に排出されるようにポンピング作用をするポンピング部材とを含むポンピング式チューブ容器において、上記ポンピング部材の下端にはポンピング部材の下方向に延長されて、内容物を吸い込む吸入管が備えられ、上記吸入管の下端部は内容物に浸るように構成されることを特徴とする。
【０００８】
また、チューブ型に構成されて、内部に内容物が収容されるチューブ本体と、上記チューブ本体の上端部に結合されて、チューブ本体を支持するチューブネックと、上記チューブネックに結合されて、ポンピング部材を支持する支持体と、上記支持体に支持され、チューブ本体と連通されて、チューブ本体に収容された内容物が外部に排出されるようにポンピング作用をするポンピング部材とを含むポンピング式チューブ容器において、上記ポンピング部材の下端にはポンピング部材の下方向に延長される結合部と、上記結合部に結合されて、内容物を吸い込む吸入管とを含み、上記吸入管の下端部は内容物に浸るように構成されることを特徴とする。
【０００９】
また、上記吸入管はチューブ本体を斜めに傾斜させた状態で、吸入管の下端部が内容物に浸る状態が保持されるほどの長さに形成され、内容物に浸った吸入管の下端部長さＬ１は内容物に浸らない吸入管の長さＬ２より短く形成されることを特徴とする。
【発明の効果】
【００１０】
以上、上述したように、本発明によれば、ポンピング部材の下方向に延長され、その下端部が内容物に浸るように位置する吸入管が備えられることによって、ポンピング部材のポンピング作用の時、空打ちを最少化することができるので、使用者に便宜を提供することができるという効果を奏する。
【００１１】
また、内容物に浸る吸入管の長さを最適化することによって、チューブ本体を所定角度傾斜させた状態でも円滑に内容物を排出することができ、また、材料を節減することができるという効果を奏する。
【図面の簡単な説明】
【００１２】
【図１】従来技術におけるポンピング式チューブ容器の構成を示した断面図である。
【図２】従来技術におけるポンピング式チューブ容器の構成を示した断面図である。
【図３】本発明の好ましい実施例によるポンピング式チューブ容器の構成を示した斜視図である。
【図４】本発明の好ましい実施例によるポンピング式チューブ容器の使用状態を示した状態図である。
【図５】本発明のまた他の実施例によるポンピング式チューブ容器の構成を示した斜視図である。
【００１３】
【図６】本発明のまた他の実施例によるポンピング式チューブ容器の使用状態を示した状態図である。
【発明を実施するための形態】
【００１４】
以下、図面を参照して本発明を詳しく説明する。各図面に提示された同じ符号は同じ部材を現わす。
【００１５】
図３は本発明の好ましい実施例によるポンピング式チューブ容器の構成を示した斜視図であり、図４は本発明の好ましい実施例によるポンピング式チューブ容器の使用状態を示した状態図である。
【００１６】
図３及び４によれば、本発明の好ましい実施例によるポンピング式チューブ容器は、チューブ本体１００、チューブネック２００、支持体３００、ポンピング部材４００、ボタン部５００、オーバーキャップ６００及び吸入管７００が含まれる。
【００１７】
上記チューブ本体１００は、内部に内容物ａが収容されるチューブ型に構成されたもので、内容物ａが収容されるように空間が形成され、内容物ａが充填された状態で、その下端部が閉鎖されるようにシーリング処理されるシーリング部１１０が形成される。
【００１８】
上記チューブネック２００は、上記チューブ本体１００の上端部に結合されて、チューブ本体１００を支持するもので、中央部には後述するポンピング部材４００が結合されることができるように中空が形成されることが好ましい。
【００１９】
上記支持体３００は、上記チューブネック２００に結合されて、ポンピング部材４００を支持するもので、その外側にはボタン部５００の誤作動を防止するために後述するオーバーキャップ６００が結合される。
【００２０】
上記ポンピング部材４００は、上記支持体３００に支持され、チューブ本体１００と連通されて、チューブ本体１００に収容された内容物が外部に排出されるようにポンピング作用をするもので、上記チューブネック２００の中空に結合され、内側下端にチェックバルブ４１１が備えられるポンプハウジング４１０と、一側は後述するボタン部５００の内側に結合され、他側は上記ポンプハウジング４１０の内側に位置して、ボタン部５００の上下移動によって移動するステム４２０と、上記ステム４２０の下部に結合されるピストンロッド４３０と、上記ピストンロッド４３０の下部でピストンロッド４３０の外周面を囲んで結合されて、ポンプハウジング４１０の内壁に沿って移動するシールキャップ４４０と、上記ステム４２０の周りを囲んで結合されて、ボタン部５００が繰り返し的にポンピングができるように、上方に弾性力を提供するスプリング４５０とで構成される。
【００２１】
上記ボタン部５００は、上記ポンピング部材４００のステム４２０の上部に結合されるもので、使用者の加圧によって上下に移動し、ポンピング部材４００のポンピング作用が可能にする。
【００２２】
上記オーバーキャップ６００は、上記支持体３００及びボタン部５００を囲み、支持体３００に着脱可能に結合されるもので、普段には上記支持体３００に結合されて、ボタン部５００の誤作動を防止し、使用の時には上記支持体３００から脱離されて、ボタン部５００の加圧を通じるポンピング作用を可能にする。
【００２３】
上記吸入管７００は、上記ポンピング部材４００の下端からポンピング部材４００の下方向に延長されて内容物を吸い込むもので、本発明において、上記吸入管７００は吸入管７００の下端部が内容物に浸るようにポンプハウジング４１０の下端から下方向に延長して形成されることが特徴である。
【００２４】
上記吸入管７００は、その下端部がチューブ本体１００に収容された内容物ａに浸るように構成されることによって、ポンピング部材４００が最初ポンピング作用の時、内容物ａが吸入管７００の内部に直ちに吸入されることができるので、空打ちを最少化させることができる。
【００２５】
一方、上記吸入管７００は、長さが短く形成されて、内容物ａに浸らない場合、ポンピング部材４００のポンピング作用の時、吸入管７００に内容物を吸い込むための空打ちがたくさん発生し、長さが長く形成される場合、ポンピング部材４００のポンピング作用の時、吸入管７００の長さだけ空打ちが発生するので、その長さを最適化させることが好ましい。
【００２６】
また、上記吸入管７００は、図４に示したように、使用者がチューブ本体１００を斜めに傾斜させた状態で製品を用いる場合にも内容物ａを円滑に排出することができるように、吸入管７００の下端部が内容物ａに浸った状態が保持されるほどの長さに形成された方が好ましい。
【００２７】
上記のように、上記吸入管７００はあまり長くもなくて短くもない最適な長さで構成されることが可能になるように、図３に示したように、内容物に浸る吸入管７００の下端部の長さＬ１が内容物に浸らない吸入管７００の長さＬ２より短く形成されるように構成されることが好ましい。
【００２８】
以下では、図５及び６を参照して本発明のまた他の実施例によるポンピング式チューブ容器を説明する。
【００２９】
図５は本発明のまた他の実施例によるポンピング式チューブ容器の構成を示した斜視図であり、図６は本発明のまた他の実施例によるポンピング式チューブ容器の使用状態を示した状態図である。
【００３０】
図５及び６によれば、本発明のまた他の実施例によるポンピング式チューブ容器は、ポンピング部材４００の下端から下方向に延長して形成されて、内容物を吸い込む吸入管７００`を支持する結合部４１２が備えられることが特徴であり、上記結合部４１２は吸入管７００`の上部を囲んで支持するように、ポンプハウジング４１０の下端から下方向に延長して形成されることによって、上記吸入管７００`の結合の時に吸入管７００`がチューブ本体１００の内部に脱離されることを防止する。
【００３１】
その他の構成は本発明の好ましい実施例で説明されたのと同じであるので、詳細な説明は省略する。
【００３２】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2014531370.tif 000003
【図２】
2014531370.tif 000004
【図３】
2014531370.tif 000005
【図４】
2014531370.tif 000006
【図５】
2014531370.tif 000007
【図６】
2014531370.tif 000008
【国際調査報告】
2014531370.tif 000009
2014531370.tif 000010
2014531370.tif 000011
2014531370.tif 000012